(57)【要約】【課題】  本考案のカバ−は、従来のカバ−の難点を解消するよう考えられたものである。着脱、収納の面倒くささをなくすこと、コンパクトな状態にできること、使用が簡単であること、使用時にドライバ−の動きを妨げることがなく、非常時でもカバ−自体によってドライバ−が負傷しないこと、外観がスマ−トなものであること、安価に提供できるものにすること、以上の条件を満たすカバ−を考案することである。【解決手段】  ドライバ−の脚部および膝部を覆う２面からなる３層構造のカバ−本体で、コの字状突起部をもつ連結板をこのカバ−の膝面身体接触面側に固定し、突起部はカバ−の穴からだす。さらに布製シ−トを付け４層のカバ−ができあがる。スク−タ−の泥除け板内側にあるポケット状物入れに設置された係止具のア−ム部の先端に付けたクリップで、連結板突起部のバ−を捉えるようにする。【選択図】  図１
2005097767.tif 000002
【特許請求の範囲】
【請求項１】
スク−タ−タイプの原動機付き自転車において、泥除け板の内側面にあるオ−プンな収納ポケットを利用して、そこにワンタッチではめこみ設置する上下自在に動くア−ム状部をもつ係止具と、カバ−本体の脚部面と膝部面の２面の境界線に沿って膝部面側にマジックテ−プ等で固定された連結板、ドライバ−の膝から脚部にかけて、その前面及び側面を覆う２面からなるカバ−本体で、ポリエチレン等の柔軟で軽量な素材でできたネット状の骨材と、それを内蔵する防水性カバ−から構成され、カバ−本体の身体接触面側に、マジックテ−プで固着させたポリエステル等の布製シ−トを特色とする、２面からなる４層構造のスク−タ−用ひざカバ−。
【発明の詳細な説明】
【技術分野】
【０００１】
本発明は、冬季のスク−タ−利用を快適にするための防寒用膝カバ−に関するものである。
【背景技術】
【０００２】
従来より、冬季のスク−タ−の運転時の下半身の冷えを防ぐためのカバ−や衣類、あるいはスク−タ−本体に取り付ける温風装置など種しゅ考案されている。  エプロン状カバ−で、身体に装着するものは、着脱の煩わしさ、装着時の外観の悪さといった欠点がある。（例えば、特許文献１参照。）
スク−タ−本体にコンパクトに収納し、そこからカバ−を引き出して下半身を覆うようにしたものは、収納作業に少々時間を要しワンタッチとはいかない。又なによりも寒風を遮る構造であるにもかかわらず、身体接触部に暖かさの感じられる素材が使用されていないため、暖かさが実感されないように思われる。安全面でも、急停止してとっさに飛び降りるときカバ−が邪魔になるような構造になっている。（例えば、特許文献２参照。）
【特許文献１】特開平９−１５６５６１号
【特許文献２】実開平１−９８７８８号
【発明の開示】
【発明が解決しようとする課題】
【０００３】
すでに考案されているスク−タ−用膝カバ−を検討するに、
（Ａ）運転者の身体に直接カバ−を装着させるタイプ
（Ｂ）カバ−がスク−タ−に取り付けられたタイプ
この２タイプに大別できる。（Ａ）では、カバ−の着脱自体は容易だが、それを小さくまとめてスク−タ−本体に収納したり、また取り出してシワなど伸ばして装着せねばならない面倒くささ、さらには、装った上にカバ−を装着したときの外見の悪さ等、利用されづらい点がある。
このような難点は市販の防寒用衣類においても言えることである。下半身を被うものは、ズボン状のものがほとんどと思うが、厚着のうえにさらにズボン状のものを着脱する事は、かなり面倒な作業であり、特にスカ−ト着用の女性には、不向きである。そのうえ着脱を人前ですることは、上着の着脱とは違って、抵抗をおぼえるものでもある。安価でカラフルな防寒具 にもかかわらず、下半身用の防寒具を利用している人を見かけることが少ないのは、このような難点からではないかと考察される。
（Ｂ）タイプでは、とっさにスク−タ−から飛び降りる時など、カバ−が邪魔になる可能性がある。また、下半身を完全に覆う構造であるにもかかわらず、身体に接触する部分に保温性のある素材が使われていないため、寒風が遮られはするが温かさの感じられない物で あるように思われる。さらに、使用時の外観も
スマ−トさに欠ける物である。
温風装置なども考案されているが、温風を下半身に集めておくための工夫がいるため下半身を全面的に覆う構造のカバ−となっており、それでは、前述のように安全面で問題がある。また、すでに利用されているスク−タ−に取り付けるのは困難である。
本考案は上記の点に鑑みなされたものであり、スク−タ−本体にカバ−を取り付けることで着脱の面倒くささをなくし、使用時の外観をスマ−トなものとし、身体接触面に布を使用することで、単に寒風を遮るだけでなく、温かさの感じられるものとすること、またコンパクトにたたんで携行できるようにすること、安全面でも脚部 が自由に動かせる構造とし、緊急時にも運転者が速やかに反応できるカバ−を提供することを目的とする。
【課題を解決するための手段】
【０００４】
上記目的を達成するための本考案の要旨とするところは、スク−タ−本体の泥除け板  図１−ｔ  内側面のポケット状物入れ  図１−ｓ  に設置する係止具図７  と、膝部と脚部 の前面および側面を覆う２面からなるカバ−本体 図１−ｒ，図２、該カバ−本体と係止具とを連結する連結板  図８、該カバ−本体の身体接触面に取り付ける布製シ−ト  図６、該カバ−をコンパクトに折りたたみ、携行するための把持部取り付け面  図２−Ｃを特徴とするスク−タ−用膝カバ−にある。
【発明の効果】
【０００５】
本考案の膝カバ−は、従来のカバ−あるいは防寒具の、着脱、収納の煩わしさ、外観の悪さという難点が解消されているものであり。その目的とする下半身の防寒という点においては、簡単な構成でありながら、冷えの主な原因である対向風を遮ることにより、また対向風によって生じる該カバ−の脚部面の脚部への接触、被覆性により、脚部からの体熱の喪失を低減させることができる。また、カバ−によって大部分が覆われる膝部ではかなりの保温効果が期待でき、布製シ−トによって暖かさの感じられるものなっている。
非常に扱い易い使用性に優れたカバ−であり、寒さ冷えによるストレス、身体へのダメ−ジを軽減することによって、ドライバ−の疲労を軽減し、冬季のスク−タ−利用を快適なものにすることができる。
また、比較的簡単な構成であるから低価格で需要者に供することができ、商品価値も高いものである。
【発明を実施するための最良の形態】
【０００６】
図１は、本考案のカバ−の使用状態を示す側面図、図２は、カバ−本体で、脚部 前面と側面を覆う面ａと、膝部を覆う面ｂ、また 携行時に必要な把持部のつ
いた面ｃ、該カバ−をスク−タ−本体に係止させるための連結板図８のバ−を通すための穴ｄ、携行時、該カバ−を二つ折りにして止めるボタンｅを特徴とする。
図２ａの脚部面は膝部面ｂより幅広とし、折りたたんだ時、ａ面の内側にｂ面がはめ込まれる様にするとよい。スク−タ−から該カバ−を取り外し、図４に示す様にコンパクトに折りたたみボタンでとめて携行することにより、盗難被害や、雨に濡れることを避けることができる。
図３は、カバ−本体の図２Ｘ−Ｙ線における断面図で４層構造になっている。Ａは防水性で通気性の無い材質のものを使用、Ｂは、図５に示す様にネット状の骨組みで、軽量で柔軟な材質、例えばポリエチレンのようなものを使用するとよい。脚部 と膝部の側面に沿うようにカ−ブしている。ドライバ−が一時停止す
るときなど、膝や脚が自由にカバ−から出し入れできるよう、カ−ブした側面部は、あまり幅びろとせず柔軟性を持たせる。また脚部面のほうを幅広とする。Ｃは、ごく薄手の防水性で、通気性のない材質のものにし、ＡとＣでＢの骨組みをくるみ、周囲をテ−プＥで縫い付けてしまう。Ｃ面の垂れ下がりは、Ａ面とハトメなどで固定することで防げる。テ−プＥの縫い代はミシン目 の位置 ｌ−ｍより十分に残し、縫い代のＣ面側にマジックテ−プを適宜取り付ける。これは、図６の布製シ−トを取り付けるためのものであり、マジックテ−プが、縫い代で隠れているため、布製シ−トを取り外して使用しても、マジックテ−プが運転者の着衣にひっかかったりすることはない。布製シ−トはポリエステル素材などでよく、雨などで濡れたり、汚れたりしたときは、取り外して洗うことができる。ＡとＣで寒風を遮り膝や脚にあたる部分に柔らかな布材を使用することで暖かさの感じられる構造になっている。布製シ−トの下方への垂れ下がりを防ぐため、緩やかにカ−ブした細い梁をわたせばよい。次に、上記カバ−をスク−タ−に繋げる係止具について述べる。図７でア−ム部ｈは上下方向に自在に曲げられる構造にする。その先端は金属製のクリップにし、図８の連結板のバ−をとらえる様にする。ｇの部分をスク−タ−本体の収納ポケットにさしこんでセットする。ア−ム部ｈを上方向にはねあげればスム−ズに乗降できる。また、下方にさげれば図３のＤ面の布製シ−トが運転者の膝部に密接することで膝部 が完全に保温され
る。 図７の連結板は、その突出したバ−の部分をカバ−本体の中央部にある穴
からだして、本体カバ−Ｃ面とマジックテ−プ等で固定するとよい。  該カバ−の各部は軽量で柔軟性に富んだ素材を使用するので、運転者が、とっさにスク−タ−から飛び降りる時に障害になったり、該カバ−自体で負傷したりといった心配は無い。  係止具の強度であるが、運転時には、図２−ｂ面は下方に下がり、運転者の膝部に密着する必要があり、使用しない時には、ｂ面をスク−タ−のシ−トにのせて置いてもよい。このように、該カバ−を上方向に支える力は、さほど必要とはされない。このことから、泥除け板 内面に収納ポケットのないタイプのスク−タ−においても、図１０に示すような係止具を考えることができる。図においてｊは上方向に回転するような構造にし、またｊの先端部には突起を付ける。ｊの先端部は、水平方向に曲げられる柔軟性が必要であり、軽く曲げながら図１１の連結板の突起にある横穴に差し込む。取り外す時も同様にｊの先端部を曲げて横穴からｊの突起を抜き外せばよい。図１０のｋを、スク−タ−の泥除け板内側面に接着させた図９の係止具の取り付け具に上方向からスライドさせてセットすることでスク−タ−本体と繋ぐことができる。
このように、係止具を工夫することで、全てのタイプのスク−タ−に該カバ−の使用が可能になるわけで係止具についてなんら特定するものではない。
【図面の簡単な説明】
【０００７】
【図１】本考案のカバ−の使用状態を示す側面図
【図２】本考案の防寒用膝カバ−
【図３】図２におけるＸ−Ｙのラインでの該カバ−の断面図
【図４】本考案カバ−を折りたたんだ状態
【図５】ネット状骨材
【図６】布製シ−ト
【図７】係止具
【図８】連結板
【図９】図１０に示す係止具のスク−タ−本体への取り付け具
【図１０】泥除け板内側面に収納ポケットのないスク−タ−のための係止具
【図１１】図１０に示す係止具の連結板
【符号の説明】
【０００８】
ａ  本考案カバ−の脚部面
ｂ  本考案カバ−の膝部面
ｃ  把持部取り付け面
ｄ  連結板のバ−を出すための穴
ｅ  ボタン
Ａ  防水性で，通気性のない該カバ−外部面シ−ト
Ｂ  該カバ−に内蔵されたネット状骨材
Ｃ  防水性で、通気性のない薄手シ−ト
Ｄ  布製シ−ト
Ｅ  Ａ，Ｃのシ−トを縁縫いする際のテープ
ｇ  係止具の、スク−タ−本体の泥除け板内側面にあるポケット状物入れへの差し込み部分
ｈ  係止具のア−ム部で、先端に金属製のクリップを有す
ｊ  泥除け板内側面にポケット状物入れのないスク−タ−用の係止具で、上方向に回転する構造である。その先端部は水平方向に動かすことが可能で、連結板の穴に差し込む突起を有する。
ｋ  泥除け板内側面にポケット状物入れのないスク−タ−用の係止具で、スク−タ−本体へのはめ込み部分
ｌ−ｍ  カバ−を構成するＡ面，Ｃ面をテ−プＥで縫合する際のライン
ｒ  使用時の本考案カバ−側面図
ｓ  スク−タ−本体の泥除け板内側面にあるポケット状物入れ
ｔ  スク−タ−本体の泥除け板
ｐ  マジックテ−プ
Ｘ−Ｙ  本考案カバ−の層状構造を示す図３をみるための、図２に示すカバ−          における切断ライン
【図１】
2005097767.tif 000003
【図２】
2005097767.tif 000004
【図３】
2005097767.tif 000005
【図４】
2005097767.tif 000006
【図５】
2005097767.tif 000007
【図６】
2005097767.tif 000008
【図７】
2005097767.tif 000009
【図８】
2005097767.tif 000010
【図９】
2005097767.tif 000011
【図１０】
2005097767.tif 000012
【図１１】
2005097767.tif 000013